(57)【特許請求の範囲】
【請求項１】
装置前面部の左右方向の一方側に表示部を備え、他方側に試料を吸引するための吸引管を備え、使用者が手に持った状態の試料容器から前記吸引管により前記試料を吸引可能な試料分析装置であって、
前記装置前面部の前記一方側に凹部を設け、前記表示部を前記凹部の奥に配置し、
前記凹部は、奥から前方に向かって次第に左右方向の幅が広がっており、前記凹部の奥に配置された前記表示部が、装置前方から見て、前記凹部内の前記一方側寄りに位置しており、
前記吸引管は、前記凹部よりも前記他方側に配置されている、
試料分析装置。
【請求項２】
請求項１に記載の試料分析装置において、
前記凹部は、前記表示部より前記他方側に内壁面を有し、当該内壁面は、装置後方に凹むように湾曲している、
試料分析装置。
【請求項３】
請求項１または２に記載の試料分析装置において、
前記凹部は、前記表示部より前記一方側に内壁面を有し、当該内壁面は、装置前面に対して略垂直に設けられている、
試料分析装置。
【請求項４】
請求項１ないし３の何れか一項に記載の試料分析装置において、
前記凹部は、前記表示部より前記一方側に第１内壁面を有し、前記表示部より前記他方側に第２内壁面を有し、前記第２内壁面は前記第１内壁面よりもなだらかな傾斜面となっている、
試料分析装置。
【請求項５】
請求項１ないし４の何れか一項に記載の試料分析装置において、
前記凹部は、奥から前方に向かって次第に上下方向の幅が広がっており、前記凹部の奥に配置された前記表示部が、装置前方から見て、前記凹部内の下側寄りに位置している、
試料分析装置。
【請求項６】
請求項５に記載の試料分析装置において、
前記凹部は、前記表示部の上側に内壁面を有し、当該内壁面は、装置後方に凹むように湾曲している、
試料分析装置。
【請求項７】
請求項５または６に記載の試料分析装置において、
前記凹部は、前記表示部の下側に内壁面を有し、当該内壁面は、前記表示部側から装置前面側に向かって次第に低くなるように傾斜している、試料分析装置。
【請求項８】
請求項７に記載の試料分析装置において、
前記凹部の前記下側の内壁面は、装置後方に凹むように湾曲している、
試料分析装置。
【請求項９】
請求項１ないし８の何れか一項に記載の試料分析装置において、
前記表示部は、当該表示部の表示面が上方を向くように傾斜して配置されている、
試料分析装置。
【請求項１０】
請求項１ないし９の何れか一項に記載の試料分析装置において、
装置前方から見て、前記表示部は前記装置前面部の右側に配置されている、
試料分析装置。
【請求項１１】
請求項１ないし１０の何れか一項に記載の試料分析装置において、
前記凹部の内壁面の明度が前記装置前面部の他の部分の明度よりも低くなっている、
試料分析装置。
【請求項１２】
請求項１ないし１１の何れか一項に記載の試料分析装置において、
前記凹部の内壁面に、光の反射を抑えるための加工が施されている、
試料分析装置。
【請求項１３】
請求項１２に記載の試料分析装置において、
前記凹部の内壁面が粗面化されている、
試料分析装置。
【請求項１４】
請求項１ないし１３の何れか一項に記載の試料分析装置において、
印字された用紙を排出するための用紙排出部が、前記表示部の下側に配置されている、
試料分析装置。
【請求項１５】
請求項１４に記載の試料分析装置において、
前記装置前面部は、所定の色の第１領域と、前記所定の色と異なる色の第２領域とを含み、
前記表示部および前記用紙排出部は、前記第１領域に配置されている、
試料分析装置。
【請求項１６】
請求項１４または１５に記載の試料分析装置において、
装置の前後方向においてそれぞれ厚みの異なる第１部分、第２部分および第３部分を含み、
前記表示部は、前記第１部分に配置され、
前記用紙排出部は、前記第２部分に配置され、
試料吸引の開始スイッチが、前記第３部分に配置されている、
試料分析装置。
【請求項１７】
請求項１６に記載の試料分析装置において、
前記第１、第２および第３部分のうち、前記第１部分の厚みが最も大きく、前記第３部分の厚みが最も小さく、
前記第１部分は、前記第３部分の前方上方まで延びており、前記第３部分の前方上方まで延びた前記第１部分と前記第３部分との段差によって前記第３部分の前側に形成される空間に、前記第１部分の内部から前記吸引管が下方向に突出している、
試料分析装置。
【請求項１８】
請求項１６または１７に記載の試料分析装置において、
前記第２部分と前記第３部分とは段差状に連接しており、
試料と混合される試薬を収容するための試薬収容部が、前記第２部分と前記第３部分との連接部に収容されており、
前記試薬収容部に収容された試薬の残量を視認するための窓部が、前記第２部分の前面に設けられている、
試料分析装置。
【請求項１９】
請求項１ないし１８の何れか一項に記載の試料分析装置において、
前記吸引管により吸引された試料を測定するための測定部と、
前記測定部により取得された測定データを処理するためのデータ処理部と、が当該装置の本体内に配置されている、
試料分析装置。
【請求項２０】
請求項１９に記載の試料分析装置において、
前記試料は粒子を含み、
前記測定部は、前記試料中の粒子の特徴情報を測定するように構成され、
前記データ処理部は、前記測定部で得られた特徴情報を処理して前記試料中の粒子数を生成するように構成されている、
試料分析装置。
【請求項２１】
請求項２０に記載の試料分析装置において、
前記試料は血液試料であり、
前記測定部は、前記血液試料中の血球の特徴情報を測定するように構成され、
前記データ処理部は、前記測定部で得られた特徴情報を処理して前記血液試料中の血球数を生成するように構成されている、
試料分析装置。
【請求項２２】
請求項１ないし２１の何れか一項に記載の試料分析装置において、
前記表示部は、タッチパネル式の表示部である、
試料分析装置。
【請求項２３】
請求項１ないし２２の何れか一項に記載の試料分析装置において、
前記表示部および前記吸引管がその前方側に設けられた装置本体部と、
前記装置本体部の前方側を覆うように前記装置本体部に取り付けられるカバー部と、を備える、
試料分析装置。
【請求項２４】
請求項２３に記載の試料分析装置において、
前記カバー部は、前記凹部が形成された前面部と、当該前面部の端部に接続した側面部とを有し、
前記凹部の奥行きは、前記側面部の２５％以上の長さを有する、
試料分析装置。
【発明の詳細な説明】
【技術分野】
【０００１】
本発明は、血液などの試料を吸引して分析する試料分析装置に関する。
【背景技術】
【０００２】
疾患の診断等のため患者から採取した血液を分析する血液分析装置が知られている（例えば特許文献１参照）。
【０００３】
特許文献１のような血液分析装置を使用する際には、ユーザは、自らが採血管を手に持ち転倒攪拌し、キャップを開け、血液分析装置の吸引管を採血管内の血液に浸し、スタートボタンを押す操作を行う必要がある。また、それ以外にも、ユーザが表示部の表示内容を見ながら操作キーを操作し、検体番号の設定作業や分析結果の出力作業なども行う必要がある。
【０００４】
特許文献１に記載された装置には、装置前面部に血液を吸引するプローブと表示部とが備えられている。
【先行技術文献】
【特許文献】
【０００５】
【特許文献１】特開平９−２１８０１号公報
【発明の概要】
【発明が解決しようとする課題】
【０００６】
上記特許文献１に記載の血液分析装置では、表示部が装置前面に配置されているので、装置外部からの光が表示部に到来して表示部の表面で反射したり、装置外部の光源の像が表示部に写ったりすることにより、表示内容が見にくくなる場合がある。そのような場合には、ユーザは表示内容が見やすい位置に体を移動させる必要がある。しかしながら、血液吸引動作のための作業をユーザが吸引管の近くで行っている場合に、わざわざ表示内容が見やすい位置に体を移動させて表示内容を確認する必要があるとなれば、ユーザの動作に煩雑さが生じ、装置の操作性が低下するおそれがある。特に、採血管内の血液に吸引管を浸して血液を吸引させている間は、吸引管が血液から抜けないように採血管を静止させておく必要があるため、表示内容が見えやすい位置に体を動かすことは非常に煩雑である。
【０００７】
本発明は、このような課題を解決するために為されたものであり、表示部の表示内容が見やすく操作性のよい試料分析装置を提供することを目的とする。
【課題を解決するための手段】
【０００８】
本発明の主たる態様は、試料分析装置に関する。この態様に係る試料分析装置は、装置前面部の左右方向の一方側に表示部を備え、他方側に試料を吸引するための吸引管を備え、使用者が手に持った状態の試料容器から前記吸引管により前記試料を吸引可能な構成である。また、前記装置前面部の前記一方側に凹部が設けられ、この凹部の奥に前記表示部が配置される。前記凹部は、奥から前方に向かって次第に左右方向の幅が広がっており、前記凹部の奥に配置された表示部が、装置前方から見て、前記凹部内の前記一方側寄りに位置しており、前記吸引管は、前記凹部よりも前記他方側に配置されている。
【０００９】
本態様に係る試料分析装置によれば、表示部が凹部の奥に配置されているので、外来光が表示部に届きにくく、表示部を見やすくすることができる。また、表示部が、装置前方から見て、凹部内の一方側寄りに位置しているため、他方側から表示部を見る場合に、前
記凹部の他方側の内壁面に続く装置前面部によってユーザの視線が遮られることを抑制でき、他方側から表示面を見やすくすることができる。したがって、ユーザは、表示部の表示内容が見やすい位置に体を動かすことなく、吸引管の近くで作業を行いながら表示部の表示内容を障害なく円滑に視認することができ、操作性の向上を図ることができる。そのため、例えば、試料容器内の試料に吸引管を浸して試料を吸引させている間であっても、ユーザは表示部の表示内容を円滑に視認することができる。
【００１０】
また、表示部がタッチパネル式の表示部である場合、表示部と吸引管が互いに左右方向に離れて配置されるので、ユーザは、たとえば、試料吸引作業と表示部での操作を異なる手で行うことができ、吸引管と表示部とに対する操作を容易に行うことができる。また、ユーザが吸引管側に位置した状態で表示部での操作を行えるため、表示部での操作を終えた後に試料吸引動作のためにわざわざ吸引管側に移動する必要がなく、ユーザの動線を簡略化させることができる。
【００１１】
本態様に係る試料分析装置において、前記凹部は、前記表示部より前記他方側に内壁面を有し、当該内壁面は、装置後方に凹むように湾曲しているのが望ましい。この構成によれば、内壁面の湾曲によって光が分散されるため、蛍光灯等の像が表示部に映り込みにくくなる。よって、表示部の表示内容の視認性をさらに向上させることができる。
【００１２】
また、前記凹部は、前記表示部より前記一方側に内壁面を有し、当該内壁面は、装置前面に対して略垂直に設けられているのが望ましい。こうすると、凹部を設けるためのスペースを極力少なくすることができるため、装置の小型化を図ることができる。
前記凹部は、前記表示部より前記一方側に第１内壁面を有し、前記表示部より前記他方側に第２内壁面を有し、前記第２内壁面は前記第１内壁面よりもなだらかな傾斜面となっていることが望ましい。こうすると、吸引管の前方の位置から表示部を見たときに、ユーザの視線が、装置前面部によって遮られにくくなり、ユーザは、表示部の確認を良好に行うことができる。
【００１３】
本態様に係る試料分析装置において、前記凹部は、奥から前方に向かって次第に上下方向の幅が広がっており、前記凹部の奥に配置された表示部が、装置前方から見て、前記凹部内の下側寄りに位置していてもよい。この構成によれば、表示部を上方から見た場合であっても、装置前面部によってユーザの視線が遮られることを抑制でき、表示部の表示内容を円滑に視認することができる。そのため、例えばユーザが立った状態であっても容易に表示内容を確認できる。
【００１４】
この場合、前記凹部は、前記表示部の上側に内壁面を有し、当該内壁面は、装置後方に凹むように湾曲しているのが望ましい。こうすると、上側内壁面の湾曲によって光が分散されるため、蛍光灯等の像が表示部に映り込みにくく、表示内容の視認性が向上する。また、表示部がタッチパネル式の表示部である場合、上側内壁面が湾曲しているため、表示部の上部を操作する際に、ユーザの指が上側内壁面と干渉することを抑制でき、操作がスムーズになる。
【００１５】
本態様に係る試料分析装置において、前記凹部は、前記表示部の下側に内壁面を有し、当該内壁面は、表示部側から装置前面側に向かって次第に低くなるように傾斜していてもよい。この構成によれば、表示部を下方から見た場合であっても表示部の表示内容を視認することができるため、たとえば、机の上に設置されている装置をユーザが椅子に座って操作する場合であっても容易に表示内容を確認することができる。また、表示部がタッチパネル式の表示部である場合、下側内壁面が傾斜しているため、表示部の下部を操作する際にユーザの指が下側内壁面と干渉することを抑制でき、操作がスムーズになる。
【００１６】
この場合、前記凹部の前記下側の内壁面は、装置後方に凹むように湾曲しているのが望ましい。こうすると、表示部の下部を操作する際に、ユーザの指が下側内壁面と干渉することをさらに抑制でき、操作がスムーズになる。
【００１７】
本態様に係る試料分析装置において、前記表示部は、当該表示部の表示面が上方を向く
ように傾斜して配置され得る。この構成によれば、ユーザが立って当該試料分析装置を操作する場合のように、装置の上方から表示部を見るような場合であっても、表示部の画面をより容易に視認することができる。また、表示部がタッチパネル式の表示部である場合には、画面が上を向くため、画面を押しやすくなり、画面に対する操作性が向上する。
【００１８】
本態様に係る試料分析装置において、前記表示部は、装置前方から見て、前記装置前面部の右側に配置され得る。この構成によれば、右利きのユーザであれば吸引管の正面に位置した状態のまま、右手で容易に表示部を操作して各種設定を行うことができる。世界的に左利きより右利きの人の方が多いことが知られているため、このように表示部を配置することにより、多くのユーザにとって操作性が向上する。
【００１９】
本態様に係る試料分析装置において、前記凹部の内壁面の明度が、前記装置前面部の他の部分の明度よりも低くなっているのが望ましい。こうすると、内壁面による反射が抑制されるため、内壁面で反射して表示部に入射する光が減少し、表示内容が見やすくなる。
【００２０】
また、本態様に係る試料分析装置において、前記凹部の内壁面に、光の反射を抑えるための加工が施されていると良い。たとえば、前記凹部の内壁面に、たとえば梨地加工等、微細な凹凸が形成され、内壁面が粗面化されても良い。こうすると、内壁面による光の反射が抑制されるため、内壁面で反射して表示部に入射する光が減少し、表示内容が見やすくなる。
【００２１】
本態様に係る試料分析装置において、印字された用紙を排出するための用紙排出部が、前記表示部の下側に配置されるのが望ましい。本態様に係る試料分析装置では、吸引管が装置前面部の他方側に配置されているため、このように表示部の下側に用紙排出部を配置することができる。このように用紙排出部を配置すると、排出された用紙が、表示部と吸引管の両方に掛からないため、吸引管に対する操作、表示部の確認および用紙排出部から排出された用紙の切り取りや印字内容の確認等を支障なく行うことができる。
【００２２】
この構成に係る試料分析装置では、前記装置前面部を、所定の色の第１領域と、前記所定の色と異なる色の第２領域とを含むよう構成し、前記表示部および前記用紙排出部を、前記第１領域に配置するよう構成され得る。この構成によれば、作業および操作の際に位置確認が必要となる表示部および用紙排出部が、視覚的に、他の部分から明瞭に区別されるため、作業性および操作性を高めることができる。
【００２３】
また、この構成に係る試料分析装置は、装置の前後方向においてそれぞれ厚みの異なる第１部分、第２部分および第３部分を含み、前記表示部は、前記第１部分に配置され、前記用紙排出部は、前記第２部分に配置され、試料吸引の開始スイッチが、前記第３部分に配置されるよう構成され得る。この構成によれば、機能の異なる複数の構成要素が明確に区別して配置されているので、ユーザの誤操作を抑制することができる。
【００２４】
この場合、前記第１、第２および第３部分のうち、前記第１部分の厚みが最も大きく、前記第３部分の厚みが最も小さく、前記第１部分は、前記第３部分の前方上方まで延びており、前記第３部分の前方上方まで延びた前記第１部分と前記第３部分との段差によって前記第３部分の前側に形成される空間に、前記第１部分の内部から、前記吸引管が下方向に突出するよう構成され得る。この構成によれば、表示部を前側に位置付けることができるため、文字や記号が小さくても表示内容が見やすくなる。また、前記第３部分の前方上方まで延びた前記第１部分の下側に吸引管を突出させる空間を確保することができる。さらに、第３部分に試料吸引の開始スイッチが配置されているため、試料を収容した容器に吸引管を差し込んだまま、容易に、開始スイッチを押すことができ、操作性を高めることができる。
【００２５】
また、この構成においては、さらに、前記第２部分と前記第３部分とは段差状に連接しており、試料と混合される試薬を収容するための試薬収容部が、前記第２部分と前記第３部分との連接部に収容されており、前記試薬収容部に収容された試薬の残量を視認するための窓部が、前記第２部分の前面に設けられるよう構成され得る。この構成によれば、第２部分と第３部分の段差を利用して試薬収容部が設けられ、試薬残量を視認するための窓部が第２部分の前面に配置されているので、省スペース化を図りながら、簡易な構成で、ユーザに試薬残量の確認を行わせることができる。
【００２６】
本態様に係る試料分析装置においては、前記吸引管により吸引された試料を測定するための測定部と、前記測定部により取得された測定データを処理するためのデータ処理部と、が当該装置の本体内に配置されているのが望ましい。こうすると、別途、データ処理部を設ける必要が無くなるため、装置を小型化することができる。
【００２７】
この場合、前記試料は粒子を含み、前記測定部は、前記試料中の粒子の特徴情報を測定するように構成され、前記データ処理部は、前記測定部で得られた特徴情報を処理して前記試料中の粒子数を生成するように構成されていてもよい。試料中の粒子を測定する装置においては、試料を収容した試料容器をユーザが手に持って転倒攪拌し、キャップを開けて吸引管を試料容器内に挿入させ、試料吸引中は試料容器を静止させるといった作業を行う必要がある。本態様に係る試料分析装置においては、ユーザは試料吸引動作のための作業を吸引管の近くで行いながら表示部の表示内容を視認できるとともに、表示部がタッチパネル式である場合には、上記作業を吸引管の近くで行いながら表示部の操作を行うことができる。そのため、粒子を測定する装置において特に本願発明の構成は効果的である。
【００２８】
この場合、たとえば、前記試料は血液試料であり、前記測定部は、前記血液試料中の血球の特徴情報を測定するように構成され、前記データ処理部は、前記測定部で得られた特徴情報を処理して前記血液試料中の血球数を生成するように構成される。
【００２９】
本態様に係る試料分析装置において、前記表示部は、タッチパネル式の表示部で構成され得る。この構成によれば、キーボード等の入力部を表示部と別途設ける必要がないため、装置の小型化を図れる。
【００３０】
本態様に係る試料分析装置において、前記表示部および前記吸引管がその前方側に設けられた装置本体部と、前記装置本体部の前方側を覆うように前記装置本体部に取り付けられるカバー部と、を備えてもよい。
【００３１】
本態様に係る試料分析装置において、前記カバー部は、前記凹部が形成された前面部と、当該前面部の端部に接続した側面部とを有し、前記凹部の奥行きは、前記側面部の２５％以上の長さを有することが好ましい。これにより、外来光が表示部に届くことをより効果的に抑制することができ、表示部をさらに見やすくすることができる。
【発明の効果】
【００３２】
以上のとおり、本発明によれば、表示部の表示内容が見やすく操作性のよい試料分析装置を提供することができる。
【００３３】
本発明の効果ないし意義は、以下に示す実施の形態の説明により更に明らかとなろう。ただし、以下に示す実施の形態は、あくまでも、本発明を実施化する際の一つの例示であって、本発明は、以下の実施の形態により何ら制限されるものではない。
【図面の簡単な説明】
【００３４】
【図１】実施の形態に係る試料分析装置の外観を示す斜視図である。
【図２】実施の形態に係る試料分析装置の本体部の構成を示す図である。
【図３】実施の形態に係る試料分析装置のカバー部の構成を示す図である。
【図４】実施の形態に係る試料分析装置の構成を示す図である。
【図５】実施の形態に係る試料分析装置の構成の概要を示す図である。
【図６】実施の形態に係る試料分析装置の流体回路の構成の概要を示す図である。
【図７】実施の形態に係る試料分析装置の操作手順の流れを示す図である。
【図８】実施の形態に係る試料分析装置の操作の状況を示す図である。
【図９】実施の形態に係る試料分析装置の光の入射状況を示す図である。
【図１０】実施の形態に係る試料分析装置の視認性を説明する図である。
【図１１】実施の形態に係る試料分析装置の表示／操作部を操作する際の指の進み方を説明する図である。
【発明を実施するための形態】
【００３５】
本実施の形態は、血液試料に関する分析を行うための試料分析装置に本発明を適用したものである。
【００３６】
以下、本実施の形態に係る試料分析装置について、図面を参照して説明する。
【００３７】
図１（ａ）は、左前方から見た試料分析装置１の外観を示す斜視図であり、図１（ｂ）は、右前方から見た試料分析装置１の外観を示す斜視図である。
【００３８】
本実施の形態に係る試料分析装置１は、本体部２と、カバー部３から構成されている。本体部２とカバー部３は、蝶番によって、開閉可能なように取り付けられている。
【００３９】
図２（ａ）は、右前方から見た本体部２の構成を示す斜視図である。図２（ｂ）は、左側から見た本体部２の構成を示す平面図である。なお、図２（ａ）、図２（ｂ）には、本体部２の内部における構成部の位置関係を説明するため、各構成部の概略位置が破線で示されている。また、図２（ｂ）は、便宜上、本体部２にカバー部３が取り付けられた状態で示されている。
【００４０】
図２（ａ）を参照して、本体部２は、吸引部２１と、空圧調整部２２（図２（ｂ）参照）と、試料調製部２３と、検出部２４と、廃液部２５と、表示／操作部２６と、プリンタ２７と、制御部２８と、開始スイッチ２９を備えている。
【００４１】
吸引部２１は、本体部２の前面の左側上部に配されている。吸引部２１は、吸引ピペット２１１と、サンプリングバルブ２１２、洗浄機構２１３等を含んでいる。これらは、本体部２の前面に突出している。吸引ピペット２１１は、試料容器から試料を吸引し、その試料をサンプリングバルブ２１２へと送出する。サンプリングバルブ２１２は、導入された試料を所定量に定量し、複数の流路に分割して後段の流体回路に流出する。洗浄機構２１３は、試料を測定後に吸引ピペット２１１の汚れを洗浄する。
【００４２】
空圧調整部２２は、図２（ｂ）に示すように本体部２の左側下部に配されている。空圧調整部２２は、空圧源を備え、吸引部２１、試料調製部２３、廃液部２５等に対して流体移送用の圧力を供給する。また、本体部２の左側面には、凹部が形成されており、この凹部には、陽圧調整器２２１と、陰圧調整器２２２が配されている。陽圧調整器２２１と、陰圧調整器２２２は、それぞれ、空圧源の陽圧、陰圧を調整する。
【００４３】
試料調製部２３は、主に本体部２の内部の左側後方に配されている。試料調製部２３は、吸引ピペット２１１から流入された血液試料の赤血球、白血球および血小板を測定する
ための測定試料を調製するためのチャンバ、バルブ等からなる流体回路を含んでいる。試料調製部２３は、本体部２の前面の試薬収容部２３１に取り付けられた溶血剤容器Ｒ１にチューブ（図示せず）を介して接続されている。試薬収容部２３１は、本体部２の前面の中央下部に配されており、試薬容器を載置可能なように、前方向に延びる板状の腕部からなっている。また、試料調製部２３は、図２（ｂ）に示すように、本体部２の背面からチューブを介して、試料分析装置１の外部に配されている希釈液容器Ｒ２に接続されている。さらに、図２（ｂ）に示すように、本体部２の左側面の凹部には、上部から、逆流防止用チャンバＢＣが配されている。逆流防止用チャンバＢＣは、試料分析装置１に異常が発生した場合に、空圧源に試薬等が流れ込むのを防止する。
【００４４】
検出部２４は、本体部２の前面の中央上部に配されている。検出部２４は、その内部に、試料調製部２３によって調製された測定試料中の赤血球、白血球および血小板を測定するための電気抵抗式検出器を備えている。検出部２４の外観は、直方体の一辺が切り欠かれた形状を有しており、本体部２の前面に突出している。
【００４５】
廃液部２５は、試料調製部２３と同様に、主に本体部２の内部の左側後方に配されている。廃液部２５は、検出部２４によって、検出後の廃液を収容する廃液チャンバ、廃液を外部に流出する流路等の流体回路を含んでいる。
【００４６】
表示／操作部２６は、本体部２の前面の右側上部に配されている。表示／操作部２６は、タッチパネル式のディスプレイである。表示／操作部２６は、本体部２の前面に突出しており、取り付け具によって、スクリーン面が上下方向から後ろ方向に所定の角度（本実施形態では約１５度）で傾くように、本体部２の前面に装着されている。表示／操作部２６は、制御部２８からの信号に基づいて、測定メニュー、測定結果等を表示する。また、表示／操作部２６は、ユーザによって、検体番号の入力、測定メニューの選択等が入力されると、制御部２８に入力内容を送信する。
【００４７】
プリンタ２７は、本体部２の前面の右側下部に配されている。プリンタ２７は、制御部２８からの信号に基づいて、測定結果等のリストを用紙に印字して、用紙排出口２７１から用紙を外部に排出する。プリンタ２７は、正面視において、略方形形状を有しており、本体部２の前面に突出している。
【００４８】
制御部２８は、主に本体部２の内部の右側後方に配されている。制御部２８は、ＣＰＵ、メモリ等を含んでおり、本体部２の各部の装置を制御する。開始スイッチ２９は、本体部２の前面の左側中央に配されている。開始スイッチ２９は、正面視において、略方形形状の平板であり、後ろ方向に押下可能なように、本体部２の前面の左側上部のスイッチ機構に接続されている。開始スイッチ２９は、水色で彩色されており、カバー部３の白色と比較して強調される配色となっている。
【００４９】
図３は、試料分析装置１の構成の概要を示す図である。
【００５０】
上述のように、試料分析装置１は、吸引部２１と、空圧調整部２２と、試料調製部２３と、検出部２４と、廃液部２５と、表示／操作部２６と、プリンタ２７と、制御部２８とを備えている。制御部２８は、これらと通信可能なように接続されている。
【００５１】
図４は、試料分析装置１の流体回路の概要を示す図である。
【００５２】
試料容器Ｔには、希釈された血液試料または全血検体が収容されている。吸引部２１は、上述のように、吸引ピペット２１１と、サンプリングバルブ２１２を含んでいる。試料調製部２３は、赤血球および血小板を測定するための測定試料を調製する１次反応チャン
バＭＣ１および２次反応チャンバＭＣ２と、白血球を測定するための測定試料を調製する反応チャンバＭＣ３を備えている。検出部２４は、赤血球、血小板および白血球を測定するための電気抵抗式検出器ＤＣを備えている。また、廃液部２５は、廃液を収容する廃液チャンバＷＣを備えている。
【００５３】
試料容器Ｔに収容された全血検体の赤血球および血小板を測定する場合、吸引部２１は、空圧調整部２２（図３参照）によって吸引ピペット２１１に陰圧を与えることにより、吸引ピペット２１１を介して試料を吸引する。そして、吸引部２１は、サンプリングバルブ２１２によって所定量に定量した試料を１次反応チャンバＭＣ１に吐出する。また、試料調製部２３は、所定量の希釈液を１次反応チャンバＭＣ１に吐出する。試料調製部２３は、１次反応チャンバＭＣ１内で、血液試料と希釈液とを混合攪拌し、血液試料を希釈する。そして、試料調製部２３は、１次反応チャンバＭＣ１で希釈された試料を、流路を介して、サンプリングバルブ２１２に再度流入する。
【００５４】
サンプリングバルブ２１２は、希釈された血液試料を再度定量し、２次反応チャンバＭＣ２に吐出する。その後、試料調製部２３は、所定量の希釈液を２次反応チャンバＭＣ２に吐出する。試料調製部２３は、２次反応チャンバＭＣ２内で、血液試料と希釈液とを混合攪拌し、さらに血液試料を希釈して赤血球および血小板測定用の試料を調製する。２次反応チャンバＭＣ２で調製された測定試料は、流路を介して電気抵抗式検出器ＤＣに送られる。
【００５５】
検出部２４は、電気抵抗式検出器ＤＣによって測定試料中の赤血球、血小板から電気情報を検体のデータとして検出する。検出部２４を通過した測定試料は、流路を介して廃液チャンバＷＣに送られる。なお、予め希釈された血液試料を測定する場合は、１次反応チャンバＭＣ１での１段目の希釈が省略される。
【００５６】
試料容器Ｔに収容された全血検体または血液試料の白血球を測定する場合、吸引部２１は、空圧調整部２２（図３参照）によって吸引ピペット２１１に陰圧を与えることにより、吸引ピペット２１１を介して試料を吸引する。そして、吸引部２１は、サンプリングバルブ２１２によって所定量に定量した試料を反応チャンバＭＣ３に吐出する。また、試料調製部２３は、所定量の希釈液と、所定量の溶血剤を反応チャンバＭＣ３に吐出する。試料調製部２３は、反応チャンバＭＣ３内で、血液試料と試薬とを混合攪拌し、白血球測定用の測定試料を調製する。
【００５７】
反応チャンバＭＣ３で調製された測定試料は、流路を介して電気抵抗式検出器ＤＣに送られる。検出部２４は、この電気抵抗式検出器ＤＣによって測定試料中の白血球等から電気情報を検体のデータとして検出する。検出部２４を通過した測定試料は、流路を介して廃液チャンバＷＣに送られる。
【００５８】
図３に戻り、検出部２４により検体のデータが検出されると、制御部２８は、検体のデータに基づいて、血液試料中の血球数を生成する。そして、制御部２８は、生成した血球数のデータ等を整形し、プリンタ２７により用紙に印刷して外部に排出する。以上のようにして、血液試料の測定が行われる。
【００５９】
図５（ａ）は、左前方から見たカバー部３の構成を示す斜視図である。図５（ｂ）は、右後方から見たカバー部３の構成を示す斜視図である。また、図６（ａ）は、本体部２にカバー部３が取り付けられた状態の試料分析装置１の前面を示す平面図である。図６（ｂ）は、試料分析装置１の上面を示す平面図、図６（ｃ）は、試料分析装置１の左側面を示す平面図である。
【００６０】
図５（ａ）を参照して、カバー部３は、後側が空間となっている白色の枠部材である。カバー部３は、正面視において、角が丸みを帯びた略方形形状である。カバー部３は、装置の前後方向の厚みの異なる、肉厚部３１と、中肉部３２と、肉薄部３３を有している。カバー部３の前面右方には、肉厚部３１と中肉部３２を跨ぐようにして、上下方向に延びる彩色部３４が配されている。彩色部３４は、艶のある黒色の塗料で塗装されている。
【００６１】
肉厚部３１は、中肉部３２および肉薄部３３と段差状に連接している。図５（ｂ）に示すように、肉厚部３１は、前後方向の厚みＤ１が最も大きく、後方に最も大きいスペースを有する。肉厚部３１は、このスペースに図２（ａ）に示した本体部２の吸引部２１の上部と、検出部２４と、表示／操作部２６等を収容する。
【００６２】
図５（ａ）に戻り、肉厚部３１の右方には、後方向に凹む凹部３１１が形成されており、凹部３１１の奥には、正面視において略方形形状の開口３１２が形成されている。すなわち、凹部３１１の内壁面の奥側の端縁により囲まれる領域が開口３１２となっている。凹部３１１は、開口３１２から肉厚部３１の前面に向かって左右方向の幅および上下方向の幅が大きくなるように形成されている。図６（ａ）に示すように、表示／操作部２６は開口３１２に嵌め込まれており、凹部３１１および開口３１２により、表示／操作部２６が視認可能なように外部に露出される。なお、凹部３１１の前側の端縁により囲まれる領域の全ては、吸引ピペット２１１よりも右側に配置されている。
【００６３】
開口３１２は、凹部３１１の前側の縁の大きさよりも小さくなっている。開口３１２は、凹部３１１の右下側に偏っている。すなわち、開口３１２（表示／操作部２６）の中央は、装置前方から見て、凹部３１１の前側の端縁により囲まれる領域の中央よりも右下側に位置している。開口３１２は、図６（ｃ）に示すように、表示／操作部２６の角度と同様の角度（約１５度）で上下方向から、後ろ方向に向かって傾いている。
【００６４】
凹部３１１の左内壁面３１１ａは、図６（ｂ）に示すように、肉厚部３１の前面に垂直な方向（前後方向）から開口３１２側に向かって傾いており、且つ、斜面は、後方に凹むように湾曲している。他方、凹部３１１の右内壁面３１１ｂは、肉厚部３１の前面に対して略垂直となっている。したがって、左内壁面３１１ａは、右内壁面３１１ｂよりもなだらかな傾斜面となっている。
【００６５】
また、凹部３１１の上内壁面３１１ｃは、図６（ｃ）に示すように、肉厚部３１の前面に垂直な方向（前後方向）から開口３１２側に向かって傾いており、且つ、斜面は、後方に凹むように湾曲している。他方、凹部３１１の下内壁面３１１ｄも同様に、肉厚部３１の前面に垂直な方向（前後方向）から開口３１２側に向かって傾いており、且つ、斜面は、後方に凹むように湾曲している。表示／操作部２６および開口３１２は、所定の角度で傾いており、上内壁面３１１ｃの広さは、下内壁面３１１ｄの広さよりも大きくなっている。
【００６６】
凹部３１１の奥行きの長さＬ１は、カバー部３の前後方向の厚みＬ２の約３１％である。すなわち、カバー部３の側方から見て、肉厚部３１の前面から上内壁面３１１ｃの下端までの同一水平面上における長さＬ１が、カバー部３の側壁面の幅Ｌ２の約３１％を占めている。なお、外来光が表示／操作部２６に届くことを効果的に防止するためには、長さＬ１が長さＬ２の２５％以上であることが好ましい。また、外来光を抑制するとともに、表示／操作部２６の視認性およびユーザの指による表示／操作部２６の操作性を確保するためには、長さＬ１が長さＬ２の２５％以上かつ３５％以下であることが好ましい。
【００６７】
図５（ａ）に戻り、凹部３１１は、彩色部３４の領域内に配置されている。したがって、図６（ａ）に示すように、表示／操作部２６は、正面視において、彩色部３４の領域内
に配置される。凹部３１１の各内壁面３１１ａ〜３１１ｄは、彩色部３４と同様に黒色で塗装されており、カバー部３の他の領域の白色よりも明度が低くなっている。また、凹部３１１の各内壁面３１１ａ〜３１１ｄは、艶のある塗装によって大量の光が反射して表示／操作部２６（図６（ａ）参照）に入射することを防ぐために、表面が粗面化されており（表面に微細な凹凸が形成されており（いわゆるシボ加工、梨地加工））、その上に塗装が施されている。
【００６８】
中肉部３２は、肉薄部３３と段差状に連接している。図５（ｂ）に示すように、中肉部３２は、前後方向の厚みＤ２が肉厚部３１の厚みＤ１の次に大きく、後方にやや大きいスペースを有する。中肉部３２は、このスペースに図２（ａ）に示したプリンタ２７および試薬収容部２３１等を収容する。
【００６９】
中肉部３２の中央には、正面視において左右方向に延びる略方形形状の開口３２１が形成されている。開口３２１は、彩色部３４の領域内に配置されている。図６（ａ）に示すように、開口３２１により、プリンタ２７の用紙排出口２７１が外部に露出する。したがって、用紙排出口２７１は、正面視において、彩色部３４の領域内に配置される。
【００７０】
また、中肉部３２と肉薄部３３の連接部の近傍には、正面視において上下方向に延びる略方形形状の開口３２２が形成されている。図６（ａ）に示すように、開口３２２により、試薬収容部２３１に収容された溶血剤容器Ｒ１が外部に露出され、開口３２２を介して容器を見ることにより、溶血剤容器Ｒ１内の溶血剤の残量が視認可能となっている。なお、溶血剤容器Ｒ１は透明または半透明となっており、内部に収容された溶血剤の界面が外側から視認可能となっている。
【００７１】
肉薄部３３は、図５（ｂ）に示すように、前後方向の厚みＤ３が最も小さくなっている。このため、肉薄部３３の前方には、大きなスペースが設けられる。このスペースに、図２（ａ）に示した吸引部２１の下部の吸引ピペット２１１が突出し、その奥に、開始スイッチ２９が配置される（図１（ａ）、（ｂ）参照）。
【００７２】
肉薄部３３には、中央から肉厚部３１との段差部分まで延びた開口３３１が形成されている。開口３３１の上部は、肉厚部３１との段差部分に沿うように上下方向に開口しており、開口３３１の下部は、肉薄部３３の前面に沿うように前後方向に開口している。図６（ａ）に示すように、上下に開口した開口３３１の上部において、肉厚部３１の内部から吸引部２１の吸引ピペット２１１の下部が突出する。また、前後に開口した開口３３１の下部から、開始スイッチ２９が、押下可能なように外部に露出する。
【００７３】
図７は、血液試料の測定作業におけるユーザによる試料分析装置１の操作の流れを示す図である。図８は、血液試料の測定時におけるユーザによる試料分析装置１の操作の手順を示す図である。図８には、図７の対応する工程のステップ番号が矢印とともに示されている。
【００７４】
図８では、机上の右側寄りに試料分析装置１が設置されており、試料容器Ｔを収容するラックＭが試料分析装置１の左側に設置されている。机上の試料分析装置１に対して、ユーザは、椅子に座った状態あるいは立った状態で装置を操作することが想定されている。なお、図７、図８は、右利きのユーザが試料分析装置１を利用する場合における一般的な動作の流れの一例を示したものであり、作業の際に利用する手、手順は、これに限られるものではない。
【００７５】
図７および図８を参照して、ユーザは、まず、表示／操作部２６のタッチパネルに対して測定したい血液試料の測定設定項目（全血モード、希釈モード等）を右手Ｒで入力する
（Ｓ１）。このとき、ユーザは、カバー部３を開閉せずとも、カバー部３の開口３２２を介して、適宜、血液試料の測定に用いられる溶血剤の残量を知ることができる。溶血剤の残量が十分であれば、ユーザは、後段の測定作業を行う。
【００７６】
次に、ユーザは、試料容器ＴをラックＭから左手Ｌで取り出す（Ｓ２）。そして、試料容器Ｔを右手Ｒもしくは左手Ｌで血液試料を混合攪拌させる（Ｓ３）。次に、ユーザは、試料容器Ｔを左手Ｌに持ったまま、表示／操作部２６のタッチパネルに対して測定したい血液試料の検体番号を右手Ｒで入力する（Ｓ４）。そして、ユーザは、左手Ｌに持った試料容器ＴのキャップＣを右手Ｒで取り外す（Ｓ５）。ユーザは、取り外したキャップＣを、図８に示すように机上に置くか、もしくは右手Ｒに持ったまま、次の動作に移る。
【００７７】
ユーザは、キャップＣを取り外した試料容器Ｔを吸引ピペット２１１に左手Ｌでセットする（Ｓ６）。ここで、開始スイッチ２９が吸引ピペット２１１の後方に配されているため、ユーザは、左手Ｌで試料容器Ｔを持ったまま、左手Ｌの指で開始スイッチ２９を押圧することができる。なお、開始スイッチ２９は、上述のように水色で彩色されており、カバー部３の白色の配色に比べて、強調されているため、初めて装置を利用するユーザであっても、測定開始のためのスイッチがあることを容易に認識することができる。
【００７８】
ユーザが、左手Ｌで試料容器Ｔを持ったまま、開始スイッチ２９を押圧すると（Ｓ７）、試料分析装置１は、吸引ピペット２１１により試料容器Ｔに収容された血液試料の吸引を開始する。ユーザは、試料分析装置１によって、試料容器Ｔに収容された血液試料の吸引が完了するまで試料容器Ｔの位置を維持する（Ｓ８：ＮＯ）。このとき、ユーザは、試料容器Ｔを吸引ピペット２１１にセットした状態で、表示／操作部２６を見て、吸引完了のメッセージを確認する。ここで、表示／操作部２６は、ユーザ側に突出した肉厚部３１に位置付けられているため、画面がユーザに近い位置に位置付けられ、ユーザは、画面に表示された文字や記号が小さくても、良好に表示内容を確認することができる。
【００７９】
表示／操作部２６に、吸引完了のメッセージが出力されたことを確認すると（Ｓ８：ＹＥＳ）、ユーザは、試料容器Ｔを左手Ｌで吸引ピペット２１１から取り外す（Ｓ９）。その後、ユーザは、試料容器Ｔを左手Ｌに持ったまま、右手Ｒでキャップを取り付けて（Ｓ１０）、試料容器ＴをラックＭに左手Ｌで戻す（Ｓ１１）。そして、ユーザは、表示／操作部２６を見て、血液試料の測定完了のメッセージが表示されるまで待機する（Ｓ１２：ＮＯ）。ユーザは、表示／操作部２６に、血液試料の測定完了のメッセージを確認すると（Ｓ１２：ＹＥＳ）、プリンタ２７の用紙排出口２７１から排出された測定結果用紙Ｐを右手Ｒで取り出して、血液試料の測定結果を確認する（Ｓ１３）。なお、排出された測定結果用紙Ｐは、表示／操作部２６と吸引ピペット２１１の両方に掛からないため、必ずしも、作業の都度、用紙排出口２７１から排出された測定結果用紙Ｐを取り出す必要はなく、所定回数の測定を連続で行った後にまとめて測定結果用紙Ｐを取り出してもよい。
【００８０】
このように、ユーザは、測定動作の際に、左手で吸引ピペット２１１に試料容器Ｔをセットしつつ、表示／操作部２６を確認する必要があり、また、吸引が完了した試料容器ＴをラックＭに戻しつつ、用紙排出口２７１から排出された測定結果用紙Ｐを確認する必要がある。本実施の形態では、上述のように、表示／操作部２６と用紙排出口２７１が他の領域から明瞭に区別されるよう黒色の彩色部３４に配されているため、不慣れなユーザであっても、確認が必要な表示／操作部２６および用紙排出口２７１に視線を集めることができる。よって、作業効率を高めることができる。
【００８１】
また、表示／操作部２６と、プリンタ２７の用紙排出口２７１と、開始スイッチ２９は、それぞれ、厚みの異なる肉厚部３１、中肉部３２、肉薄部３３に分かれて配されている。このように、機能の異なる複数の操作対象要素が明確に区別して配置されているので、
各操作対象要素に対する操作を簡便かつ容易に行うことができ、ユーザによる誤操作を抑制することができる。
【００８２】
なお、上記動作時に、表示／操作部２６に蛍光灯等の発光源から大量の光が映り込むと、表示内容が視認しにくくなる。このような場合、ユーザは、表示内容が見やすくなる位置に移動する等、表示／操作部２６に対する視線の角度を変える必要があり、その結果、円滑に作業を進めることができなくなってしまう。特に、Ｓ７の開始スイッチ２９を左手Ｌで押した後、吸引が完了するまでは、試料容器Ｔを吸引ピペット２１１にセットしたままの状態に維持する必要があり、ユーザは、口径の小さい試料容器Ｔに吸引ピペット２１１を挿入し続けなければならず、かなり繊細な作業が要求される。このような状況下において、視認性の悪い表示／操作部２６を確認しなければならないとなると、作業性の低下は、一層、顕著なものとなる。
【００８３】
これに対し、本実施の形態の試料分析装置１では、以下のとおり、表示／操作部２６に対して入射する光量が抑制され、且つ、表示／操作部２６が見やすくなるように、凹部３１１が構成されているため、表示／操作部２６の視認性を向上させることができ、作業性の向上が図られている。  図９（ａ）は、本実施の形態における表示／操作部２６に対する上下方向の光の入射状況の例を示す模式図である。図９（ｂ）は、カバー部３に凹部３１１が形成されない場合の比較例を示す模式図である。
【００８４】
図９（ｂ）の比較例に示すように凹部３１１が設けられていない場合には、表示／操作部２６に対して大きな傾きを有する光であっても表示／操作部２６に入射することとなり、大量の光が表示／操作部２６に入射することとなる。他方、図９（ａ）に示すように、表示／操作部２６が凹部３１１の奥側に配されている場合には、表示／操作部２６に対して大きな傾きを有する光はカバー部３の前面によって反射され、表示／操作部２６に入射しない。そのため、表示／操作部２６に入射する光の光量を抑制することができる。
【００８５】
図９（ｃ）は、本実施の形態における表示／操作部２６に対する左右方向の光の入射状況の例を示す模式図である。図９（ｃ）では、凹部３１１の左内壁面３１１ａが後方側に湾曲している。図９（ｄ）は、凹部３１１の左内壁面３１１ａが後方側に湾曲せずに、平坦な斜面な左内壁面３１１ｅとなっている場合の比較例を示す模式図である。
【００８６】
図９（ｃ）に示すように、凹部３１１の左内壁面３１１ａは後方向に凹むように湾曲しているため、左内壁面３１１ａに入射した発光源から光は湾曲面によって不規則な方向に反射し、表示／操作部２６の表示面上に発光源の像が結ばれにくくなる。したがって、表示／操作部２６に発光源の像が映り込みにくくなり、表示／操作部２６の表示内容が見にくくなることが抑制される。他方、図９（ｄ）に示す比較例の場合、左内壁面３１１ｅは湾曲せずに平坦となっているため、左内壁面３１１ｅに入射した光はそのまま反射され、表示／操作部２６に発光源の像Ｉが映り込み易くなる。そのため、表示内容が見にくくなる惧れがある。
【００８７】
また、図９（ｃ）に示すように、本実施の形態の左内壁面３１１ａには梨地加工等の微細な凹凸が形成されているため、左内壁面３１１ａに入射した光はかかる凹凸によって散乱される。さらに、凹部３１１の左内壁面３１１ａは黒色で彩色されているため、光の反射が低く抑えられる。そのため、表示／操作部２６に入射する光の光量をさらに抑制することができる。
【００８８】
なお、凹部３１１の右内壁面３１１ｂ、上内壁面３１１ｃおよび下内壁面３１１ｄについても、同様に黒色で彩色されており、且つ、表面に微細な凹凸が形成されているため、表示／操作部２６に入射する光量を抑制することができる。また、凹部３１１の上内壁面
３１１ｃおよび下内壁面３１１ｄも、左内壁面３１１ａと同様に後方向に湾曲しているため、画面に発光源の像が映り込みにくく、また、表示／操作部２６に入射する光の光量を抑制することができる。
【００８９】
図１０（ａ）は、上から見た試料分析装置１とユーザの左右方向の視点位置の例を示す模式図である。図１０（ｂ）は、左から見た試料分析装置１とユーザの上下方向の視点位置の例を示す模式図である。
【００９０】
図１０（ａ）を参照して、上述のように、ユーザは、通常、試料分析装置１の左側に配された吸引ピペット２１１の前方の位置を中心に作業を行うものと想定される。この場合、たとえば、左内壁面３１１ａが右内壁面３１１ｂと同様に傾いておらず、カバー部３の前面に対して略垂直になっていると、ユーザの視線は、左内壁面３１１ａに続くカバー部３の前面部分によって遮られ、表示／操作部２６の画面の左側部分に届かない。このため、ユーザは、表示／操作部２６の内容を確認するために、右側に移動する必要がある。こうなると、ユーザは、表示／操作部２６に対する作業の際に、右側に移動する必要があり、また、吸引ピペット２１１を用いて血液試料吸引の作業を行う際には、左側に移動する必要があるため、ユーザの動線が複雑となる。また、図７に示したように、左側で吸引ピペット２１１に対して試料容器Ｔをセットしている際にも、表示／操作部２６に対する表示内容の確認を適宜行う必要があるため、非常に視認性の悪いまま表示／操作部２６の確認を行う必要がある。
【００９１】
これに対し、本実施の形態では、表示／操作部２６が凹部３１１内の右側に偏った位置に配置され、凹部３１１の左内壁面３１１ａが後側から前側にかけてなだらかに傾斜しているため、吸引ピペット２１１の前方の位置から表示／操作部２６を見たときにおいても、ユーザの視線は、カバー部３の前面部分によって遮られない。したがって、ユーザは、表示／操作部２６の正面に移動しなくても、吸引ピペット２１１の前方に位置したまま、表示／操作部２６の操作および確認を良好に行うことができ、ユーザの動線を簡略化することができる。
【００９２】
また、表示／操作部２６は、右側に位置付けられているため、右利きのユーザであれば、左側に位置した状態のまま、右手で容易に表示／操作部２６を操作することができる。世界的に左利きより右利きの人の方が多いことが知られているため、このように表示／操作部２６を右側に配置することにより、多くのユーザにとって操作性が向上する。
【００９３】
なお、右内壁面３１１ｂは、カバー部３の前面に対して略垂直になっている。これにより、右内壁面３１１ｂの左右方向の寸法を小さくすることができ、試料分析装置１の小型化を図ることができる。
【００９４】
また、図１０（ｂ）に示すように、ユーザの身長、試料分析装置１が設置される机の高さ、ユーザが立っているか座っているか等の違いによって、表示／操作部２６に対するユーザの上下方向の視点の高さは異なる。特に、試料分析装置１が机に設置され、ユーザが立っている場合、ユーザの視点の位置は、表示／操作部２６よりもかなり高い位置に位置付けられる。
【００９５】
本実施の形態では、表示／操作部２６が凹部３１１内の下側に偏った位置に配置され、凹部３１１の上内壁面３１１ｃが、後側から前側にかけてなだらかに傾斜しているため、ユーザの視点が高い位置に位置付けられたとしても、凹部３１１上側のカバー部３前面によって表示／操作部２６に対するユーザの視線が遮られることを抑制できる。また、下内壁面３１１ｄも前後方向に傾いているため、ユーザの視点が低い位置に位置付けられたとしても、凹部３１１下側のカバー部３前面によりユーザの視線が遮られることを抑制でき
る。したがって、ユーザの視点位置が表示／操作部２６よりも高い位置または低い位置のどちらに位置付けられたとしても、表示／操作部２６の操作および確認を良好に行うことができる。
【００９６】
また、表示／操作部２６は、画面が正面からやや上を向くように、上下方向から後方向に所定の角度だけ傾いているため、表示内容を上側の広い範囲で良好に視認することができる。したがって、ユーザは、立った状態であっても良好に表示／操作部２６の表示内容を確認することができる。
【００９７】
さらに、本実施の形態では、下内壁面３１１ｄが傾いているため、以下のとおり、ユーザが表示／操作部２６の下部を操作する際の指の移動がスムーズになるとの効果が奏され得る。
【００９８】
図１１（ａ）〜図１１（ｃ）は、表示／操作部２６の下部を操作する際の指の進み方を示す一部拡大図である。なお、図１１（ｂ）は、下内壁面３１１ｄが傾いていない下内壁面３１１ｆとなっている場合の比較例である。
【００９９】
表示／操作部２６の下部を操作する場合、ユーザは、主に、指Ｆを下から斜め上に移動させて画面に接近させた後、指Ｆを斜め下に移動させて画面に触れる。図１１（ｂ）に示す比較例では、下内壁面３１１ｆがカバー部３の前面に対して略垂直となっているため、指Ｆを表示／操作部２６の下部に向けて下から斜め上に移動させようとすると、カバー部３前面に当たり、指Ｆを画面の近くに移動させることが困難である。これに対し、本実施の形態では、図１１（ａ）に示すように、下内壁面３１１ｄが下方向に傾いているため、表示／操作部２６の下部に対して指Ｆを下から斜め上に円滑に移動させることができる。そのため、表示／操作部２６の下部を円滑に操作することができる。
【０１００】
さらに、図１１（ａ）に示すように、下内壁面３１１ｄは後方に凹むように湾曲しているため、表示／操作部２６の下端と下内壁面３１１ｄの下端を結ぶ直線と湾曲面の間に所定の隙間Ｓ２が生じ、この隙間Ｓ２によって、指の移動がさらに妨げられにくくなる。したがって、表示／操作部２６の下端を操作する際の指の移動がさらにスムーズになる。特に、図１１（ｃ）に示すように、表示／操作部２６の最下端を操作する際にも、指Ｆの移動を円滑に進めることができる。
【０１０１】
なお、上内壁面３１１ｃは上方向に傾くとともに後方に凹むように湾曲しているため、同様に、表示／操作部２６の上端を操作する際にも指の移動がスムーズになるとの効果が奏される。
【０１０２】
また、左内壁面３１１ａについても、同様に、表示／操作部２６の左端を操作する際の指の移動がスムーズになるとの効果が奏される。
【０１０３】
以上、本実施の形態によれば、装置前面に設けられた凹部３１１は、奥から前方に向かって次第に左右方向の幅が広がるように形成され、表示／操作部２６が凹部３１１の奥の右側寄りに配置されているため、ユーザが吸引ピペット２１１の正面の位置で作業しながら、表示／操作部２６の操作および確認を良好に行うことができる。したがって、ユーザの動線を簡略化させることができ、装置の操作性を向上させることができる。
【０１０４】
特に、血球計数装置においては、ユーザは、血液を収容した試料容器Ｔを転倒攪拌し、キャップを開けて吸引ピペット２１１を試料容器Ｔ内に挿入させ、吸引中は試料容器Ｔを同じ位置で把持し続けるといった作業を、吸引ピペット２１１の正面位置で行う場合があるが、本実施の形態によれば、ユーザはこれらの作業を吸引ピペット２１１の正面位置で
行いながら表示／操作部２６の操作および確認を行うことができる。例えば、吸引ピペット２１１による血液の吸引中であっても、ユーザは試料容器Ｔを同じ位置で把持したまま表示内容を見ることができる。そのため、本実施の形態は、血球や尿中有形成分（円柱、上皮細胞、細菌等）などの粒子を測定する粒子測定装置において、ユーザによる試料容器の転倒攪拌等の作業が必要な場合に特に効果的である。
【０１０５】
また、本実施の形態によれば、凹部３１１の左内壁面３１１ａ、上内壁面３１１ｃおよび下内壁面３１１ｄが、後方に凹むように湾曲しているため、発光源の像が表示／操作部２６の画面に映り込みにくくなり、良好に表示／操作部２６の内容を確認することができる。また、表示／操作部２６の左端、上端、下端に対して、スムーズに指を移動させることができる。
【０１０６】
また、本実施の形態によれば、凹部３１１の各内壁面３１１ａ〜３１１ｄは、黒色で塗装され、且つ、表面に微細な凹凸（梨地加工、シボ加工等）が形成されている。そのため、さらに、表示／操作部２６に対する入射光量を抑えることができ、良好に表示／操作部２６の内容を確認することができる。
【０１０７】
また、本実施の形態によれば、凹部３１１の右内壁面３１１ｂは、カバー部３の前面に対して略垂直に設けられているため、凹部３１１の左右方向の寸法を抑制することができる。その結果、試料分析装置１を左右方向にコンパクトにすることができる。
【０１０８】
また、本実施の形態によれば、表示／操作部２６が、肉厚部３１の右側に配され、且つ、表示／操作部２６の上端が後側に傾くように配されている。そのため、装置の左側に立った右利きのユーザが、表示／操作部２６の内容を確認しながら良好に、表示／操作部２６を操作することができる。
【０１０９】
また、本実施の形態によれば、プリンタ２７の用紙排出口２７１が、表示／操作部２６下側の中肉部３２に配されているため、排出された測定結果用紙Ｐが表示／操作部２６と吸引ピペット２１１の両方に掛かることがない。よって、ユーザは、測定ごとに逐一、測定結果用紙Ｐを取り出さなくても良く、連続測定を円滑に行うことができる。
【０１１０】
また、本実施の形態によれば、作業および操作の際に位置確認が必要となる表示／操作部２６と用紙排出口２７１が、黒色に彩色された彩色部３４に配置されているため、表示／操作部２６と用紙排出口２７１を視覚的に他の部分から明瞭に区別することができる。よって、表示／操作部２６と用紙排出口２７１に対する作業性および操作性を高めることができる。
【０１１１】
また、本実施の形態によれば、開始スイッチ２９は、肉薄部３３の吸引ピペット２１１の後方の近い位置に配されているため、ユーザは、吸引ピペット２１１に試料容器Ｔをセットしたまま、開始スイッチ２９を容易に押圧することができる。
【０１１２】
さらに、本実施の形態によれば、中肉部３２の左下の位置に試薬収容部２３１、および開口３２２が設けられているため、省スペース化を図りつつ、カバー部３を開閉せずとも、試薬収容部２３１に収容された溶血剤の残量を確認することができる。
【０１１３】
以上、本発明の実施の形態について説明したが、本発明の実施の形態はこれらに限定されるものではない。
【０１１４】
たとえば、上記実施の形態では、試料分析装置として血球計数装置を例示したが、本発明に係る試料分析装置は、生体試料を吸引して分析する装置であれば良く、たとえば、尿
分析装置、血液凝固分析装置、免疫分析装置、生化学分析装置等であっても良い。特に、血球や尿中有形成分（円柱、上皮細胞、細菌等）などの粒子を測定する粒子測定装置に本発明を適用することが好ましい。
【０１１５】
また、上記実施の形態では、表示／操作部２６に対する入射光量を抑制するために、凹部３１１の各内壁面３１１ａ〜３１１ｄに微細な凹凸（梨地加工やシボ加工等）が形成されたが、これとは別に、あるいは、これとともに、各内壁面３１１ａ〜３１１ｄに艶消し用の塗料が塗布されても良い。
【０１１６】
また、上記実施の形態では、表示／操作部２６はタッチパネル式のディスプレイであるが、タッチパネルの機能を有さず、表示機能のみを有するディスプレイであっても良い。この場合、操作入力を行うための操作部が、表示部とプリンタ２７の間等、装置前面の空きスペースに配置されてもよい。なお、上記実施の形態のように、表示／操作部２６としてタッチパネル式のディスプレイを用いた方が、部品点数を削減でき、試料分析装置１を小型化することができるため、望ましい。
【０１１７】
また、上記実施の形態では、左内壁面３１１ａ、上内壁面３１１ｃおよび下内壁面３１１ｄは、後方に凹む湾曲面で構成されたが、湾曲面に代えて平面で構成されても良い。
【０１１８】
また、上記実施の形態では、試料分析装置１には、外部の情報処理装置と接続可能なインターフェースが設けられなかったが、外部の情報処理装置と接続可能なインターフェースを設け、このインターフェースを介して外部の情報処理装置と接続する構成としても良い。この場合、試料分析装置１で測定したデータを外部の情報処理装置に送信可能となり、測定データの一括管理等、より効果的に測定データを活用することができる。
【０１１９】
また、上記実施の形態では、右利きのユーザが操作し易いように、表示／操作部２６を右側に配置させたが、左利きのユーザが操作し易いように、表示／操作部２６を左側に配置させ、吸引部２１を右側に配置させてもよい。
【０１２０】
さらに、上記実施の形態では、彩色部３４は黒色で配色され、その他の部分は白色で配色されたが、彩色部３４が強調されれば、その他の色の組み合わせで配色されても良い。
【０１２１】
また、上記実施の形態では、吸引ピペット２１１は、カバー部３に設けられた開口から下方に突出した位置で固定されているが、本発明はこれに限られない。例えば、ユーザが所定のスイッチを押すまでは吸引ピペット２１１がカバー部３の内部に収容され、ユーザが上記スイッチを押すと吸引ピペット２１１がカバー部３の開口を介して下方に移動されてもよい。
【０１２２】
この他、本発明の実施の形態は、特許請求の範囲に示された技術的思想の範囲内において、適宜、種々の変更が可能である。
【符号の説明】
【０１２３】
１  …  試料分析装置
２１  …  吸引部
２１１  …  吸引ピペット
２３  …  試料調製部
２３１  …  試薬収容部
２４  …  検出部
２６  …  表示／操作部
２７  …  プリンタ
２７１  …  用紙排出口
２８  …  制御部
２９  …  開始スイッチ
３  …  カバー部
３１  …  肉厚部
３１１  …  凹部
３１１ａ  …  左内壁面
３１１ｂ  …  右内壁面
３１１ｃ  …  上内壁面
３１１ｄ  …  下内壁面
３１２  …  開口
３２  …  中肉部
３２１  …  開口
３２２  …  開口
３３  …  肉薄部
３４  …  彩色部
Ｔ    …  試料容器
【図１】
0005963475.tif 000002
【図２】
0005963475.tif 000003
【図３】
0005963475.tif 000004
【図４】
0005963475.tif 000005
【図５】
0005963475.tif 000006
【図６】
0005963475.tif 000007
【図７】
0005963475.tif 000008
【図８】
0005963475.tif 000009
【図９】
0005963475.tif 000010
【図１０】
0005963475.tif 000011
【図１１】
0005963475.tif 000012